(57)【特許請求の範囲】
【請求項１】
コンテンツデータに対し一意な識別情報であるコンテンツＩＤを付与し、該コンテンツＩＤをコンテンツデータのヘッダ領域等の記述したり、コンテンツデータの紙への印刷などの際に、傍らにバーコードとして付与したり、電子透かし技術を用いてコンテンツデータ内に埋め込んだりするなどして、コンテンツデータとコンテンツＩＤを一体化した形態でディジタル／アナログなど様々な情報伝達媒体でコンテンツデータを流通させるシステムにおいて、
コンテンツＩＤとコンテンツデータに関するサービスを提供する様々なサービスプロバイダ情報とコンテンツデータの属性情報を結び付けてデータベースにコンテンツデータ関連情報として蓄積しているコンテンツデータ関連情報提供装置より、サービスプロバイダからコンテンツデータを取得するための情報を取得し、該サービスプロバイダからサービスを取得するクライアント端末におけるコンテンツデータ取得方法において、
前記クライアント端末において、
予め、利用者の身体状態に関する身体情報を入力して、保持しておき、
入力インタフェースを用いて、ディジタルまたは、アナログで表現されているコンテンツデータを入力し、
入力された前記コンテンツデータからコンテンツＩＤを読み取り、
前記利用者から、コンテンツデータから得られるサービスの中から、利用したいサービスを特定する情報であるリクエストを入力させ、
前記利用者が入力したリクエストを該利用者の身体情報に基づいて、該利用者が享受可能なサービスを要求するリクエストに変換し、
前記コンテンツＩＤと、当該クライアント端末の機能などを表すシステムプロファイルと、前記利用者の条件を示すユーザポリシと、前記リクエストを組にしたデータ集合であるＲＲＤＳを生成し、
前記ＲＲＤＳを前記コンテンツデータ関連情報提供装置に送信し、
前記コンテンツデータ関連情報提供装置から、サービスプロバイダ情報と属性情報からなるリゾルブ結果を受信し、
前記リゾルブ結果から、前記システムプロファイル、前記ユーザポリシ、前記身体情報を参照し、利用者からの要求に合致するサービスプロバイダ情報を絞り込み、
一つに絞り込まれたサービスプロバイダ情報で示されるサービスを受けるために必要なアプリケーションを決定し、
決定された前記アプリケーションを起動し、前記サービスプロバイダ情報など該アプリケーションがサービスを受けるのに必要な情報をアプリケーション参照情報として入力することを特徴とするサービス取得方法。
【請求項２】
コンテンツデータに対し一意な識別情報であるコンテンツＩＤを付与し、該コンテンツＩＤをコンテンツデータのヘッダ領域等に記述したり、コンテンツデータの紙への印刷などの際に、傍らにバーコードとして付与したり、電子透かし技術を用いてコンテンツデータ内に埋め込んだりするなどして、コンテンツデータとコンテンツＩＤを一体化した形態でディジタル／アナログなど様々な情報伝達媒体でコンテンツデータを流通させるシステムにおいて、
コンテンツＩＤ及びコンテンツＩＤで特定されるコンテンツデータに対するサービスを表すサービス記述子の集合（これをサービスリスト情報と呼ぶ）、及び、クライアント端末に予め入力され、保持している属性情報データベース内部に記述してある属性情報の部分集合などを含むデータ（以下、ＤＣＤと記す）を、コンテンツデータに関連するサービスを提供する様々なサービスプロバイダ情報とコンテンツデータの属性情報を結び付けてデータベースに蓄積しているコンテンツデータ関連情報提供装置に送信して、サービスプロバイダからコンテンツデータを取得するための情報を取得し、該サービスプロバイダからサービスを取得するクライアント端末におけるサービス取得方法において、
前記クライアント端末において、
予め、利用者の身体状態に関する身体情報を入力して、保持しておき、
前記利用者から、コンテンツデータから得られるサービスの中から、利用したいサービスを特定する情報であるリクエストを入力させ、
前記利用者が入力したリクエストを該利用者の身体情報に基づいて、該利用者が享受可能なサービスを要求するリクエストに変換し、
前記ＤＣＤと当該クライアント端末の機能などを表す情報であるシステムプロフィルと、前記利用者の条件を表すユーザポリシと、前記リクエストを組にしたデータ集合であるＲＲＤＳを生成し、
前記ＲＲＤＳを前記コンテンツデータ関連情報提供装置に送信し、
前記コンテンツデータ関連情報提供装置から、サービスプロバイダ情報と属性情報からなるリゾルブ結果を受信し、
前記リゾルブ結果から、前記システムプロファイル、前記ユーザポリシ、前記身体情報を参照し、利用者からの要求に合致するサービスプロバイダ情報を絞り込み、
一つに絞り込まれたサービスプロバイダ情報で示されるサービスを受けるために必要なアプリケーションを決定し、
決定された前記アプリケーションを起動し、前記サービスプロバイダ情報など該アプリケーションがサービスを受けるのに必要な情報をアプリケーション参照情報として入力することを特徴とするサービス取得方法。
【請求項３】
コンテンツデータに対し一意な識別情報であるコンテンツＩＤを付与し、該コンテンツＩＤをコンテンツデータのヘッダ領域等に記述したり、コンテンツデータの紙への印刷などの際に、傍らにバーコードとして付与したり、電子透かし技術を用いてコンテンツデータ内に埋め込んだりするなどして、コンテンツデータとコンテンツＩＤを一体化した形態でディジタル／アナログなど様々な情報伝達媒体でコンテンツデータを流通させるシステムにおいて、
コンテンツＩＤとコンテンツデータに関するサービスを提供する様々なサービスプロバイダ情報とコンテンツデータの属性情報を結び付けてデータベースにコンテンツデータ関連情報として蓄積しているコンテンツデータ関連情報提供装置より、サービスプロバイダからコンテンツデータを取得するための情報を取得し、該サービスプロバイダからサービスを取得するクライアント端末であって、
予め、利用者の身体状態に関する身体情報を入力して、保持しておく身体情報記憶手段と、
ディジタルまたは、アナログで表現されているコンテンツデータを入力する入力インタフェースと、
入力された前記コンテンツデータからコンテンツＩＤを読み取るコンテンツＩＤ読み取り手段と、
前記利用者から、コンテンツデータから得られるサービスの中から、利用したいサービスを特定する情報であるリクエストを入力させるユーザインタフェース手段と、
前記利用者が入力したリクエストを該利用者の身体情報に基づいて、該利用者が享受可能なサービスを要求するリクエストに変換するリクエスト生成手段と、
前記コンテンツＩＤと、当該クライアント端末の機能などを表すシステムプロファイルと、前記利用者の条件を示すユーザポリシと、前記リクエストを組にしたデータ集合であるＲＲＤＳを生成するＲＲＤＳ生成手段と、
前記ＲＲＤＳを前記コンテンツデータ関連情報提供装置に送信するＲＲＤＳ送信手段と、
前記コンテンツデータ関連情報提供装置から、サービスプロバイダ情報と属性情報からなるリゾルブ結果を受信するリゾルブ結果受信手段と、
前記リゾルブ結果から、前記システムプロファイル、前記ユーザポリシ、前記身体情報を参照し、利用者からの要求に合致するサービスプロバイダ情報を絞り込む情報選択手段と、
一つに絞り込まれたサービスプロバイダ情報で示されるサービスを受けるために必要なアプリケーションを決定し、決定された前記アプリケーションを起動し、前記サービスプロバイダ情報など該アプリケーションがサービスを受けるのに必要な情報をアプリケーション参照情報として入力するアプリケーション制御手段とを有することを特徴とするクライアント端末。
【請求項４】
コンテンツデータに対し一意な識別情報であるコンテンツＩＤを付与し、該コンテンツＩＤをコンテンツデータのヘッダ領域等に記述したり、コンテンツデータの紙への印刷などの際に、傍らにバーコードとして付与したり、電子透かし技術を用いてコンテンツデータ内に埋め込んだりするなどして、コンテンツデータとコンテンツＩＤを一体化した形態でディジタル／アナログなど様々な情報伝達媒体でコンテンツデータを流通させるシステムにおいて、
コンテンツＩＤ及びコンテンツＩＤで特定されるコンテンツデータに対するサービスを表すサービス記述子の集合（これをサービスリスト情報と呼ぶ）、及び、クライアント端末に予め入力され、保持している属性情報データベース内部に記述してある属性情報の部分集合などを含むデータ（以下、ＤＣＤと記す）と、コンテンツデータに関連するサービスを提供する様々なサービスプロバイダ情報とコンテンツデータの属性情報を結び付けてデータベースに蓄積しているコンテンツデータ関連情報提供装置に送信することにより、サービスプロバイダからコンテンツデータを取得するための情報を取得し、該サービスプロバイダからサービスを取得するクライアント端末であって、
予め、利用者の身体状態に関する身体情報を入力して、保持する身体情報記憶手段と、
前記利用者から、コンテンツデータから得られるサービスの中から、利用したいサービスを特定する情報であるリクエストを入力させるユーザインタフェース手段と、
前記利用者が入力したリクエストを該利用者の身体情報に基づいて、該利用者が享受可能なサービスを要求するリクエストに変換するリクエスト生成手段と、
前記ＤＣＤと当該クライアント端末の機能などを表す情報であるシステムプロフィルと、前記利用者の条件を表すユーザポリシと、前記リクエストを組にしたデータ集合であるＲＲＤＳを生成するＲＲＤＳ生成手段と、
前記ＲＲＤＳを前記コンテンツデータ関連情報提供装置に送信するＲＲＤＳ送信手段と、
前記コンテンツデータ関連情報提供装置から、サービスプロバイダ情報と属性情報からなるリゾルブ結果を受信するリゾルブ結果受信手段と、
前記リゾルブ結果から、前記システムプロファイル、前記ユーザポリシ、前記身体情報を参照し、利用者からの要求に合致するサービスプロバイダ情報を絞り込む情報選択手段と、
一つに絞り込まれたサービスプロバイダ情報で示されるサービスを受けるために必要なアプリケーションを決定し、決定された前記アプリケーションを起動し、前記サービスプロバイダ情報など該アプリケーションがサービスを受けるのに必要な情報をアプリケーション参照情報として入力するアプリケーション制御手段とを有することを特徴とするクライアント端末。
【請求項５】
コンテンツデータに対し一意な識別情報であるコンテンツＩＤを付与し、該コンテンツＩＤをコンテンツデータのヘッダ領域等に記述したり、コンテンツデータの紙への印刷などの際に、傍らにバーコードとして付与したり、電子透かし技術を用いてコンテンツデータ内に埋め込んだりするなどして、コンテンツデータとコンテンツＩＤを一体化した形態でディジタル／アナログなど様々な情報伝達媒体でコンテンツデータを流通させるシステムにおいて、
コンテンツＩＤとコンテンツデータに関するサービスを提供する様々なサービスプロバイダ情報とコンテンツデータの属性情報を結び付けてデータベースにコンテンツデータ関連情報として蓄積しているコンテンツデータ関連情報提供装置より、サービスプロバイダからコンテンツデータを取得するための情報を取得し、該サービスプロバイダからサービスを取得するクライアント端末に実行させるサービス取得プログムであって、
前記クライアント端末に、
予め、利用者の身体状態に関する身体情報を取得して、格納する身体情報格納ステップステップと、
ディジタルまたは、アナログで表現されているコンテンツデータを入力する入力インタフェースステップと、
入力された前記コンテンツデータからコンテンツＩＤを読み取るコンテンツＩＤ読み取りステップと、
前記利用者から、コンテンツデータから得られるサービスの中から、利用したいサービスを特定する情報であるリクエストを入力させる入力ステップと、
前記利用者が入力したリクエストを該利用者の身体情報に基づいて、該利用者が享受可能なサービスを要求するリクエストに変換するリクエスト生成ステップと、
前記コンテンツＩＤと、当該クライアント端末の機能などを表すシステムプロファイルと、前記利用者の条件を示すユーザポリシと、前記リクエストを組にしたデータ集合であるＲＲＤＳを生成するＲＲＤＳ生成ステップと、
前記ＲＲＤＳを前記コンテンツデータ関連情報提供装置に送信させるＲＲＤＳ送信ステップと、
前記コンテンツデータ関連情報提供装置から、サービスプロバイダ情報と属性情報からなるリゾルブ結果を受信させるリゾルブ結果受信ステップと、
前記リゾルブ結果から、前記システムプロファイル、前記ユーザポリシ、前記身体情報を参照し、利用者からの要求に合致するサービスプロバイダ情報を絞り込む情報選択ステップと、
一つに絞り込まれたサービスプロバイダ情報で示されるサービスを受けるために必要なアプリケーションを決定し、決定された前記アプリケーションを起動し、前記サービスプロバイダ情報など該アプリケーションがサービスを受けるのに必要な情報をアプリケーション参照情報として入力するアプリケーション制御ステップとを実行させることを特徴とするサービス取得プログラム。
【請求項６】
コンテンツデータに対し一意な識別情報であるコンテンツＩＤを付与し、該コンテンツＩＤをコンテンツデータのヘッダ領域等に記述したり、コンテンツデータの紙への印刷などの際に、傍らにバーコードとして付与したり、電子透かし技術を用いてコンテンツデータ内に埋め込んだりするなどして、コンテンツデータとコンテンツＩＤを一体化した形態でディジタル／アナログなど様々な情報伝達媒体でコンテンツデータを流通させるシステムにおいて、
コンテンツＩＤ及びコンテンツＩＤで特定されるコンテンツデータに対するサービスを表すサービス記述子の集合（これをサービスリスト情報と呼ぶ）、及び、クライアント端末に予め入力され、保持している属性情報データベース内部に記述してある属性情報の部分集合などを含むデータ（以下、ＤＣＤと記す）と、コンテンツデータに関連するサービスを提供する様々なサービスプロバイダ情報とコンテンツデータの属性情報を結び付けてデータベースに蓄積しているコンテンツデータ関連情報提供装置に送信することにより、サービスプロバイダからコンテンツデータを取得するための情報を取得し、該サービスプロバイダからサービスを取得するクライアント端末に実行させるサービス取得プログラムであって、
前記クライアント端末に、
予め、利用者の身体状態に関する身体情報を取得して、保持する身体情報記憶ステップと、
前記利用者から、コンテンツデータから得られるサービスの中から、利用したいサービスを特定する情報であるリクエストを入力させる入力ステップと、
前記利用者が入力したリクエストを該利用者の身体情報に基づいて、該利用者が享受可能なサービスを要求するリクエストに変換するリクエスト生成ステップと、
前記ＤＣＤと当該クライアント端末の機能などを表す情報であるシステムプロフィルと、前記利用者の条件を表すユーザポリシと、前記リクエストを組にしたデータ集合であるＲＲＤＳを生成するＲＲＤＳ生成ステップと、
前記ＲＲＤＳを前記コンテンツデータ関連情報提供装置に送信させるＲＲＤＳ送信ステップと、
前記コンテンツデータ関連情報提供装置から、サービスプロバイダ情報と属性情報からなるリゾルブ結果を受信させるリゾルブ結果受信ステップと、
前記リゾルブ結果から、前記システムプロファイル、前記ユーザポリシ、前記身体情報を参照し、利用者からの要求に合致するサービスプロバイダ情報を絞り込む情報選択ステップと、
一つに絞り込まれたサービスプロバイダ情報で示されるサービスを受けるために必要なアプリケーションを決定し、決定された前記アプリケーションを起動し、前記サービスプロバイダ情報など該アプリケーションがサービスを受けるのに必要な情報をアプリケーション参照情報として入力するアプリケーション制御ステップとを実行させることを特徴とするサービス取得プログラム。
【請求項７】
コンテンツデータに対し一意な識別情報であるコンテンツＩＤを付与し、該コンテンツＩＤをコンテンツデータのヘッダ領域等に記述したり、コンテンツデータの紙への印刷などの際に、傍らにバーコードとして付与したり、電子透かし技術を用いてコンテンツデータ内に埋め込んだりするなどして、コンテンツデータとコンテンツＩＤを一体化した形態でディジタル／アナログなど様々な情報伝達媒体でコンテンツデータを流通させるシステムにおいて、
コンテンツＩＤとコンテンツデータに関するサービスを提供する様々なサービスプロバイダ情報とコンテンツデータの属性情報を結び付けてデータベースにコンテンツデータ関連情報として蓄積しているコンテンツデータ関連情報提供装置より、サービスプロバイダからコンテンツデータを取得するための情報を取得し、該サービスプロバイダからサービスを取得するクライアント端末に搭載されるサービス取得プログラムを格納した記憶媒体であって、
前記クライアント端末に、
予め、利用者の身体状態に関する身体情報を取得して、格納する身体情報格納ステップと、
ディジタルまたは、アナログで表現されているコンテンツデータを入力する入力インタフェースステップと、
入力された前記コンテンツデータからコンテンツＩＤを読み取るコンテンツＩＤ読み取りステップと、
前記利用者から、コンテンツデータから得られるサービスの中から、利用したいサービスを特定する情報であるリクエストを入力させる入力ステップと、
前記利用者が入力したリクエストを該利用者の身体情報に基づいて、該利用者が享受可能なサービスを要求するリクエストに変換するリクエスト生成ステップと、
前記コンテンツＩＤと、当該クライアント端末の機能などを表すシステムプロファイルと、前記利用者の条件を示すユーザポリシと、前記リクエストを組にしたデータ集合であるＲＲＤＳを生成するＲＲＤＳ生成ステップと、
前記ＲＲＤＳを前記コンテンツデータ関連情報提供装置に送信させるＲＲＤＳ送信ステップと、
前記コンテンツデータ関連情報提供装置から、サービスプロバイダ情報と属性情報からなるリゾルブ結果を受信させるリゾルブ結果受信ステップと、
前記リゾルブ結果から、前記システムプロファイル、前記ユーザポリシ、前記身体情報を参照し、利用者からの要求に合致するサービスプロバイダ情報を絞り込む情報選択ステップと、
一つに絞り込まれたサービスプロバイダ情報で示されるサービスを受けるために必要なアプリケーションを決定し、決定された前記アプリケーションを起動し、前記サービスプロバイダ情報など該アプリケーションがサービスを受けるのに必要な情報をアプリケーション参照情報として入力するアプリケーション制御ステップとを実行させることを特徴とするサービス取得プログラムを格納した記憶媒体。
【請求項８】
コンテンツデータに対し一意な識別情報であるコンテンツＩＤを付与し、該コンテンツＩＤをコンテンツデータのヘッダ領域等に記述したり、コンテンツデータの紙への印刷などの際に、傍らにバーコードとして付与したり、電子透かし技術を用いてコンテンツデータ内に埋め込んだりするなどして、コンテンツデータとコンテンツＩＤを一体化した形態でディジタル／アナログなど様々な情報伝達媒体でコンテンツデータを流通させるシステムにおいて、
コンテンツＩＤ及びコンテンツＩＤで特定されるコンテンツデータに対するサービスを表すサービス記述子の集合（これをサービスリスト情報と呼ぶ）、及び、クライアント端末に予め入力され、保持している属性情報データベース内部に記述してある属性情報の部分集合などを含むデータ（以下、ＤＣＤと記す）と、コンテンツデータに関連するサービスを提供する様々なサービスプロバイダ情報とコンテンツデータの属性情報を結び付けてデータベースに蓄積しているコンテンツデータ関連情報提供装置に送信することにより、サービスプロバイダからコンテンツデータを取得するための情報を取得し、該サービスプロバイダからサービスを取得するクライアント端末に実行させるサービス取得プログラムを格納した記憶媒体であって、
前記クライアント端末に、
予め、利用者の身体状態に関する身体情報を取得して、保持する身体情報記憶ステップと、
前記利用者から、コンテンツデータから得られるサービスの中から、利用したいサービスを特定する情報であるリクエストを入力させる入力ステップと、
前記利用者が入力したリクエストを該利用者の身体情報に基づいて、該利用者が享受可能なサービスを要求するリクエストに変換するリクエスト生成ステップと、
前記ＤＣＤと当該クライアント端末の機能などを表す情報であるシステムプロフィルと、前記利用者の条件を表すユーザポリシと、前記リクエストを組にしたデータ集合であるＲＲＤＳを生成するＲＲＤＳ生成ステップと、
前記ＲＲＤＳを前記コンテンツデータ関連情報提供装置に送信させるＲＲＤＳ送信ステップと、
前記コンテンツデータ関連情報提供装置から、サービスプロバイダ情報と属性情報からなるリゾルブ結果を受信させるリゾルブ結果受信ステップと、
前記リゾルブ結果から、前記システムプロファイル、前記ユーザポリシ、前記身体情報を参照し、利用者からの要求に合致するサービスプロバイダ情報を絞り込む情報選択ステップと、
一つに絞り込まれたサービスプロバイダ情報で示されるサービスを受けるために必要なアプリケーションを決定し、決定された前記アプリケーションを起動し、前記サービスプロバイダ情報など該アプリケーションがサービスを受けるのに必要な情報をアプリケーション参照情報として入力するアプリケーション制御ステップとを実行させることを特徴とするサービス取得プログラムを格納した記憶媒体。
【発明の詳細な説明】
【０００１】
【発明の属する技術分野】
【０００２】
本発明は、サービス取得方法及びクライアント端末及びサービス取得プログラム及びサービス取得プログラムを格納した記憶媒体に係り、特に、インターネットなどの通信網や雑誌・テレビなどの情報伝達媒体を介してコンテンツデータとそれに関する情報やサービスをコンテンツデータ利用者に提供するためのサービス取得方法及びクライアント端末及びサービス取得プログラム及びサービス取得プログラムを格納した記憶媒体に関する。
【０００３】
【従来の技術】
【０００４】
今日、インターネットなどにおいて、音楽や映像など様々なコンテンツデータを利用者に提供するサービスが行われている。これらは、例えば、音楽コンテンツデータをそれに関する情報と共に、ＷＷＷ（World Wide Web) のページ上に掲載しておき、利用者が必要に応じてダウンロードして利用するといった提供手段を用いることが多い。
【０００５】
また、雑誌などの情報伝送媒体によって、アナログ写真などのコンテンツデータを利用者に提供する形態は以前からも存在している。
【０００６】
上記の２つの情報提供形態の何れも、利用者がある目的のためにコンテンツデータを入手した後で、そのコンテンツデータに関連する別の機能を持つサービスを利用することが困難である。例えば、最初にある音楽家の楽曲を「聴きたい」と欲する利用者は、その楽曲のコンテンツデータを提供するサービスプロバイダをサーチエンジンなど何らかの手段で探して、そこからコンテンツデータのダウンロードを行って音楽を鑑賞することができるが、次に、「この楽曲のビデオクリップを見たい」といった別の機能のサービスを欲した場合には、ビデオクリップ映像コンテンツデータを提供するサービスプロバイダを再び何らかの手段で探すという手間が生じる。
【０００７】
あるいは、雑誌などで見た音楽家のアナログ写真から、その音楽家の楽曲をディジタルコンテンツデータとして入手して聴きたいといった場合など、異なる情報伝達媒体を用いたサービス提供が困難である。
【０００８】
これらの問題を解決するために、コンテンツデータ対して一意な識別情報（コンテンツＩＤ）を付与して、コンテンツデータと共にコンテンツＩＤも流通させ、利用者がコンテンツデータに関連した情報を入手したい場合には、利用者が自分の端末のネットワークの状態などを気にせず自分の設定したポリシに従って、コンテンツデータ及びコンテンツデータに関する情報やサービスを享受できるといった方法が提案されている。
【０００９】
【発明が解決しようとする課題】
【００１０】
しかしながら、上記に示す方法では、利用者の身体状態などのハンディキャップを一切考慮していないため、コンテンツデータ及び関連情報、サービスなどの提供が全てのユーザに対して画一的である。例えば、健常者と非健常者がある音楽コンテンツデータを鑑賞したいとリクエストした場合、上記従来のコンテンツデータとコンテンツデータＩＤを流通させる方法では、健常者と非健常者との端末環境や設定が同じ場合、ユーザは同じ音楽コンテンツデータを入手することになる。このとき、聴覚に不自由がある人の場合、音楽コンテンツデータを入手しても鑑賞することができない。非健常者が「音楽コンテンツデータを鑑賞したい」と思った場合、例えば、「音楽コンテンツデータに関する情報を入手したい」や「音楽コンテンツデータの作者の写真が見たい」、「音楽コンテンツデータの制作に至る過程を見たい」、「音楽コンテンツデータに関する種々の評論を読みたい」など、自らが「音楽コンテンツデータを鑑賞したい」という文脈をそれぞれ別の表現に変換してリクエストする必要がある。
【００１１】
本発明は、上記の点に鑑みなされたもので、コンテンツデータに関するサービスを利用者が享受する際に、利用者の身体状態などのハンディキャップを予め利用者の端末に登録しておき、コンテンツデータに関する様々なリクエストを送信する際に、自動的にリクエストを変換することが可能なサービス取得方法及びクライアント端末及びサービス取得プログラム及びサービス取得プログラムを格納した記憶媒体を提供することを目的とする。
【００１２】
【課題を解決するための手段】
【００１３】
図１は、本発明の原理を説明するための図である。
【００１４】
本発明（請求項１）は、コンテンツデータに対し一意な識別情報であるコンテンツＩＤを付与し、該コンテンツＩＤをコンテンツデータのヘッダ領域等に記述したり、コンテンツデータの紙への印刷などの際に、傍らにバーコードとして付与したり、電子透かし技術を用いてコンテンツデータ内に埋め込んだりするなどして、コンテンツデータとコンテンツＩＤを一体化した形態でディジタル／アナログなど様々な情報伝達媒体でコンテンツデータを流通させるシステムにおいて、コンテンツＩＤとコンテンツデータに関するサービスを提供する様々なサービスプロバイダ情報とコンテンツデータの属性情報を結び付けてデータベースにコンテンツデータ関連情報として蓄積しているコンテンツデータ関連情報提供装置より、サービスプロバイダからコンテンツデータを取得するための情報を取得し、該サービスプロバイダからサービスを取得するクライアント端末におけるサービス取得方法において、
クライアント端末において、
予め、利用者の身体状態に関する身体情報を入力して、保持しておき（ステップ１）、
入力インタフェースを用いて、ディジタルまたは、アナログで表現されているコンテンツデータを入力し（ステップ２）、
入力されたコンテンツデータからコンテンツＩＤを読み取り（ステップ３）、  利用者から、コンテンツデータから得られるサービスの中から、利用したいサービスを特定する情報であるリクエストを入力させ、（ステップ４）、
利用者が入力したリクエストを該利用者の身体情報に基づいて、該利用者が享受可能なサービスを要求するリクエストに変換し（ステップ５）、
コンテンツＩＤと、当該クライアント端末の機能などを表すシステムプロファイルと、利用者の条件を示すユーザポリシと、リクエストを組にしたデータ集合であるＲＲＤＳを生成し（ステップ６）、
ＲＲＤＳをコンテンツデータ関連情報提供装置に送信し（ステップ７）、
コンテンツデータ関連情報提供装置から、サービスプロバイダ情報と属性情報からなるリゾルブ結果を受信し（ステップ８）、
リゾルブ結果から、システムプロファイル、ユーザポリシ、身体情報を参照し、利用者からの要求に合致するサービスプロバイダ情報を絞り込み（ステップ９、１０）、
一つに絞り込まれたサービスプロバイダ情報で示されるサービスを受けるために必要なアプリケーションを決定し（ステップ１１）、
決定されたアプリケーションを起動し、サービスプロバイダ情報など該アプリケーションがサービスを受けるのに必要な情報をアプリケーション参照情報として入力する（ステップ１２）。
【００１５】
本発明（請求項２）は、コンテンツデータに対し一意な識別情報であるコンテンツＩＤを付与し、該コンテンツＩＤをコンテンツデータのヘッダ領域等に記述したり、コンテンツデータの紙への印刷などの際に、傍らにバーコードとして付与したり、電子透かし技術を用いてコンテンツデータ内に埋め込んだりするなどして、コンテンツデータとコンテンツＩＤを一体化した形態でディジタル／アナログなど様々な情報伝達媒体でコンテンツデータを流通させるシステムにおいて、コンテンツＩＤ及びコンテンツＩＤで特定されるコンテンツデータに対するサービスを表すサービス記述子の集合（これをサービスリスト情報と呼ぶ）、及び、クライアント端末に予め入力され、保持している属性情報データベース内部に記述してある属性情報の部分集合などを含むデータ（以下、ＤＣＤと記す）と、コンテンツデータに関連するサービスを提供する様々なサービスプロバイダ情報とコンテンツデータの属性情報を結び付けてデータベースに蓄積しているコンテンツデータ関連情報提供装置に送信することにより、サービスプロバイダからコンテンツデータを取得するための情報を取得し、該サービスプロバイダからサービスを取得するクライアント端末におけるサービス取得方法において、
クライアント端末において、
予め、利用者の身体状態に関する身体情報を入力して、保持しておき、
利用者から、コンテンツデータから得られるサービスの中から、利用したいサービスを特定する情報であるリクエストを入力させ、
利用者が入力したリクエストを該利用者の身体情報に基づいて、該利用者が享受可能なサービスを要求するリクエストに変換し、
ＤＣＤと当該クライアント端末の機能などを表す情報であるシステムプロフィルと、利用者の条件を表すユーザポリシと、リクエストを組にしたデータ集合であるＲＲＤＳを生成し、
ＲＲＤＳをコンテンツデータ関連情報提供装置に送信し、
コンテンツデータ関連情報提供装置から、サービスプロバイダ情報と属性情報からなるリゾルブ結果を受信し、
リゾルブ結果から、システムプロファイル、ユーザポリシ、身体情報を参照し、利用者からの要求に合致するサービスプロバイダ情報を絞り込み、
一つに絞り込まれたサービスプロバイダ情報で示されるサービスを受けるために必要なアプリケーションを決定し、
決定されたアプリケーションを起動し、サービスプロバイダ情報など該アプリケーションがサービスを受けるのに必要な情報をアプリケーション参照情報として入力する。
【００１６】
図２は、本発明の原理構成図である。
【００１７】
本発明（請求項３）は、コンテンツデータに対し一意な識別情報であるコンテンツＩＤを付与し、該コンテンツＩＤをコンテンツデータのヘッダ領域等に記述したり、コンテンツデータの紙への印刷などの際に、傍らにバーコードとして付与したり、電子透かし技術を用いてコンテンツデータ内に埋め込んだりするなどして、コンテンツデータとコンテンツＩＤを一体化した形態でディジタル／アナログなど様々な情報伝達媒体でコンテンツデータを流通させるシステムにおいて、コンテンツＩＤとコンテンツデータに関するサービスを提供する様々なサービスプロバイダ情報とコンテンツデータの属性情報を結び付けてデータベースにコンテンツデータ関連情報として蓄積しているコンテンツデータ関連情報提供装置より、サービスプロバイダからコンテンツデータを取得するための情報を取得し、該サービスプロバイダからサービスを取得するクライアント端末であって、
予め、利用者の身体状態に関する身体情報を入力して、保持しておく身体情報記憶手段１７０と、
ディジタルまたは、アナログで表現されているコンテンツデータを入力する入力インタフェース１１０と、
入力されたコンテンツデータからコンテンツＩＤを読み取るコンテンツＩＤ読み取り手段１２０と、
利用者から、コンテンツデータから得られるサービスの中から、利用したいサービスを特定する情報であるリクエストを入力させるユーザインタフェース手段１１５と、
利用者が入力したリクエストを該利用者の身体情報に基づいて、該利用者が享受可能なサービスを要求するリクエストに変換するリクエスト生成手段１３０と、
コンテンツＩＤと、当該クライアント端末の機能などを表すシステムプロファイルと、利用者の条件を示すユーザポリシと、リクエストを組にしたデータ集合であるＲＲＤＳを生成するＲＲＤＳ生成手段１４１と、
ＲＲＤＳをコンテンツデータ関連情報提供装置３００に送信するＲＲＤＳ送信手段１４２と、
コンテンツデータ関連情報提供装置３００から、サービスプロバイダ情報と属性情報からなるリゾルブ結果を受信するリゾルブ結果受信手段１４３と、
リゾルブ結果から、システムプロファイル、ユーザポリシ、身体情報を参照し、利用者からの要求に合致するサービスプロバイダ情報を絞り込む情報選択手段１４４と、
一つに絞り込まれたサービスプロバイダ情報で示されるサービスを受けるために必要なアプリケーションを決定し、決定されたアプリケーション１６０を起動し、サービスプロバイダ情報など該アプリケーション１６０がサービスを受けるのに必要な情報をアプリケーション参照情報として入力するアプリケーション制御手段１８０とを有する。
【００１８】
本発明（請求項４）は、コンテンツデータに対し一意な識別情報であるコンテンツＩＤを付与し、該コンテンツＩＤをコンテンツデータのヘッダ領域等に記述したり、コンテンツデータの紙への印刷などの際に、傍らにバーコードとして付与したり、電子透かし技術を用いてコンテンツデータ内に埋め込んだりするなどして、コンテンツデータとコンテンツＩＤを一体化した形態でディジタル／アナログなど様々な情報伝達媒体でコンテンツデータを流通させるシステムにおいて、コンテンツＩＤ及びコンテンツＩＤで特定されるコンテンツデータに対するサービスを表すサービス記述子の集合（これをサービスリスト情報と呼ぶ）、及び、クライアント端末に予め入力され、保持している属性情報データベース内部に記述してある属性情報の部分集合などを含むデータ（以下、ＤＣＤと記す）と、コンテンツデータに関連するサービスを提供する様々なサービスプロバイダ情報とコンテンツデータの属性情報を結び付けてデータベースに蓄積しているコンテンツデータ関連情報提供装置に送信することにより、サービスプロバイダからコンテンツデータを取得するための情報を取得し、該サービスプロバイダからサービスを取得するクライアント端末であって、
予め、利用者の身体状態に関する身体情報を入力して、保持する身体情報記憶手段と、
利用者から、コンテンツデータから得られるサービスの中から、利用したいサービスを特定する情報であるリクエストを入力させるユーザインタフェース手段と、
前記利用者が入力したリクエストを該利用者の身体情報に基づいて、該利用者が享受可能なサービスを要求するリクエストに変換するリクエスト生成手段と、
ＤＣＤと当該クライアント端末の機能などを表す情報であるシステムプロフィルと、利用者の条件を表すユーザポリシと、リクエストを組にしたデータ集合であるＲＲＤＳを生成するＲＲＤＳ生成手段と、
ＲＲＤＳをコンテンツデータ関連情報提供装置に送信するＲＲＤＳ送信手段と、
コンテンツデータ関連情報提供装置から、サービスプロバイダ情報と属性情報からなるリゾルブ結果を受信するリゾルブ結果受信手段と、
リゾルブ結果から、システムプロファイル、ユーザポリシ、身体情報を参照し、利用者からの要求に合致するサービスプロバイダ情報を絞り込む情報選択手段と、
一つに絞り込まれたサービスプロバイダ情報で示されるサービスを受けるために必要なアプリケーションを決定し、決定されたアプリケーションを起動し、サービスプロバイダ情報など該アプリケーションがサービスを受けるのに必要な情報をアプリケーション参照情報として入力するアプリケーション制御手段とを有する。
【００１９】
本発明（請求項５）は、コンテンツデータに対し一意な識別情報であるコンテンツＩＤを付与し、該コンテンツＩＤをコンテンツデータのヘッダ領域等に記述したり、コンテンツデータの紙への印刷などの際に、傍らにバーコードとして付与したり、電子透かし技術を用いてコンテンツデータ内に埋め込んだりするなどして、コンテンツデータとコンテンツＩＤを一体化した形態でディジタル／アナログなど様々な情報伝達媒体でコンテンツデータを流通させるシステムにおいて、コンテンツＩＤとコンテンツデータに関するサービスを提供する様々なサービスプロバイダ情報とコンテンツデータの属性情報を結び付けてデータベースにコンテンツデータ関連情報として蓄積しているコンテンツデータ関連情報提供装置より、サービスプロバイダからコンテンツデータを取得するための情報を取得し、該サービスプロバイダからサービスを取得するクライアント端末に実行させるサービス取得プログムであって、
クライアント端末に、
予め、利用者の身体状態に関する身体情報を取得して、格納する身体情報格納ステップと、
ディジタルまたは、アナログで表現されているコンテンツデータを入力する入力インタフェースステップと、
入力されたコンテンツデータからコンテンツＩＤを読み取るコンテンツＩＤ読み取りステップと、
利用者から、コンテンツデータから得られるサービスの中から、利用したいサービスを特定する情報であるリクエストを入力させる入力ステップと、
前記利用者が入力したリクエストを該利用者の身体情報に基づいて、該利用者が享受可能なサービスを要求するリクエストに変換するリクエスト生成ステップと、
コンテンツＩＤと、当該クライアント端末の機能などを表すシステムプロファイルと、利用者の条件を示すユーザポリシと、リクエストを組にしたデータ集合であるＲＲＤＳを生成するＲＲＤＳ生成ステップと、
ＲＲＤＳをコンテンツデータ関連情報提供装置に送信させるＲＲＤＳ送信ステップと、
コンテンツデータ関連情報提供装置から、サービスプロバイダ情報と属性情報からなるリゾルブ結果を受信させるリゾルブ結果受信ステップと、
リゾルブ結果から、システムプロファイル、ユーザポリシ、身体情報を参照し、利用者からの要求に合致するサービスプロバイダ情報を絞り込む情報選択ステップと、
一つに絞り込まれたサービスプロバイダ情報で示されるサービスを受けるために必要なアプリケーションを決定し、決定されたアプリケーションを起動し、サービスプロバイダ情報など該アプリケーションがサービスを受けるのに必要な情報をアプリケーション参照情報として入力するアプリケーション制御ステップとを実行させる。
【００２０】
本発明（請求項６）は、コンテンツデータに対し一意な識別情報であるコンテンツＩＤを付与し、該コンテンツＩＤをコンテンツデータのヘッダ領域等に記述したり、コンテンツデータの紙への印刷などの際に、傍らにバーコードとして付与したり、電子透かし技術を用いてコンテンツデータ内に埋め込んだりするなどして、コンテンツデータとコンテンツＩＤを一体化した形態でディジタル／アナログなど様々な情報伝達媒体でコンテンツデータを流通させるシステムにおいて、コンテンツＩＤ及びコンテンツＩＤで特定されるコンテンツデータに対するサービスを表すサービス記述子の集合（これをサービスリスト情報と呼ぶ）、及び、クライアント端末に予め入力され、保持している属性情報データベース内部に記述してある属性情報の部分集合などを含むデータ（以下、ＤＣＤと記す）と、コンテンツデータに関連するサービスを提供する様々なサービスプロバイダ情報とコンテンツデータの属性情報を結び付けてデータベースに蓄積しているコンテンツデータ関連情報提供装置に送信することにより、サービスプロバイダからコンテンツデータを取得するための情報を取得し、該サービスプロバイダからサービスを取得するクライアント端末に実行させるサービス取得プログラムであって、
クライアント端末に、
予め、利用者の身体状態に関する身体情報を取得して、保持する身体情報記憶ステップと、
利用者から、コンテンツデータから得られるサービスの中から、利用したいサービスを特定する情報であるリクエストを入力させる入力ステップと、
前記利用者が入力したリクエストを該利用者の身体情報に基づいて、該利用者が享受可能なサービスを要求するリクエストに変換するリクエスト生成ステップと、
ＤＣＤと当該クライアント端末の機能などを表す情報であるシステムプロフィルと、利用者の条件を表すユーザポリシと、リクエストを組にしたデータ集合であるＲＲＤＳを生成するＲＲＤＳ生成ステップと、
ＲＲＤＳをコンテンツデータ関連情報提供装置に送信させるＲＲＤＳ送信ステップと、
コンテンツデータ関連情報提供装置から、サービスプロバイダ情報と属性情報からなるリゾルブ結果を受信させるリゾルブ結果受信ステップと、
リゾルブ結果から、システムプロファイル、ユーザポリシ、身体情報を参照し、利用者からの要求に合致するサービスプロバイダ情報を絞り込む情報選択ステップと、
一つに絞り込まれたサービスプロバイダ情報で示されるサービスを受けるために必要なアプリケーションを決定し、決定されたアプリケーションを起動し、サービスプロバイダ情報など該アプリケーションがサービスを受けるのに必要な情報をアプリケーション参照情報として入力するアプリケーション制御ステップとを実行させる。
【００２１】
本発明（請求項７）は、コンテンツデータに対し一意な識別情報であるコンテンツＩＤを付与し、該コンテンツＩＤをコンテンツデータのヘッダ領域等に記述したり、コンテンツデータの紙への印刷などの際に、傍らにバーコードとして付与したり、電子透かし技術を用いてコンテンツデータ内に埋め込んだりするなどして、コンテンツデータとコンテンツＩＤを一体化した形態でディジタル／アナログなど様々な情報伝達媒体でコンテンツデータを流通させるシステムにおいて、コンテンツＩＤとコンテンツデータに関するサービスを提供する様々なサービスプロバイダ情報とコンテンツデータの属性情報を結び付けてデータベースにコンテンツデータ関連情報として蓄積しているコンテンツデータ関連情報提供装置より、サービスプロバイダからコンテンツデータを取得するための情報を取得し、該サービスプロバイダからサービスを取得するクライアント端末に搭載されるサービス取得プログラムを格納した記憶媒体であって、
クライアント端末に、
予め、利用者の身体状態に関する身体情報を取得して、格納する身体情報格納ステップと、
ディジタルまたは、アナログで表現されているコンテンツデータを入力する入力インタフェースステップと、
入力されたコンテンツデータからコンテンツＩＤを読み取るコンテンツＩＤ読み取りステップと、
利用者から、コンテンツデータから得られるサービスの中から、利用したいサービスを特定する情報であるリクエストを入力させる入力ステップと、
前記利用者が入力したリクエストを該利用者の身体情報に基づいて、該利用者が享受可能なサービスを要求するリクエストに変換するリクエスト生成ステップと、
コンテンツＩＤと、当該クライアント端末の機能などを表すシステムプロファイルと、利用者の条件を示すユーザポリシと、リクエストを組にしたデータ集合であるＲＲＤＳを生成するＲＲＤＳ生成ステップと、
ＲＲＤＳをコンテンツデータ関連情報提供装置に送信させるＲＲＤＳ送信ステップと、
コンテンツデータ関連情報提供装置から、サービスプロバイダ情報と属性情報からなるリゾルブ結果を受信させるリゾルブ結果受信ステップと、
リゾルブ結果から、システムプロファイル、ユーザポリシ、身体情報を参照し、利用者からの要求に合致するサービスプロバイダ情報を絞り込む情報選択ステップと、
一つに絞り込まれたサービスプロバイダ情報で示されるサービスを受けるために必要なアプリケーションを決定し、決定されたアプリケーションを起動し、サービスプロバイダ情報など該アプリケーションがサービスを受けるのに必要な情報をアプリケーション参照情報として入力するアプリケーション制御ステップとを実行させる。
【００２２】
本発明（請求項８）は、コンテンツデータに対し一意な識別情報であるコンテンツＩＤを付与し、該コンテンツＩＤをコンテンツデータのヘッダ領域等に記述したり、コンテンツデータの紙への印刷などの際に、傍らにバーコードとして付与したり、電子透かし技術を用いてコンテンツデータ内に埋め込んだりするなどして、コンテンツデータとコンテンツＩＤを一体化した形態でディジタル／アナログなど様々な情報伝達媒体でコンテンツデータを流通させるシステムにおいてコンテンツＩＤ及びコンテンツＩＤで特定されるコンテンツデータに対するサービスを表すサービス記述子の集合（これをサービスリスト情報と呼ぶ）、及び、クライアント端末に予め入力され、保持している属性情報データベース内部に記述してある属性情報の部分集合などを含むデータ（以下、ＤＣＤと記す）と、コンテンツデータに関連するサービスを提供する様々なサービスプロバイダ情報とコンテンツデータの属性情報を結び付けてデータベースに蓄積しているコンテンツデータ関連情報提供装置に送信することにより、サービスプロバイダからコンテンツデータを取得するための情報を取得し、該サービスプロバイダからサービスを取得するクライアント端末に実行させるサービス取得プログラムを格納した記憶媒体であって、
クライアント端末に、
予め、利用者の身体状態に関する身体情報を取得して、保持する身体情報記憶ステップと、
利用者から、コンテンツデータから得られるサービスの中から、利用したいサービスを特定する情報であるリクエストを入力させる入力ステップと、
前記利用者が入力したリクエストを該利用者の身体情報に基づいて、該利用者が享受可能なサービスを要求するリクエストに変換するリクエスト生成ステップと、
ＤＣＤと当該クライアント端末の機能などを表す情報であるシステムプロフィルと、利用者の条件を表すユーザポリシと、リクエストを組にしたデータ集合であるＲＲＤＳを生成するＲＲＤＳ生成ステップと、
ＲＲＤＳをコンテンツデータ関連情報提供装置に送信させるＲＲＤＳ送信ステップと、
コンテンツデータ関連情報提供装置から、サービスプロバイダ情報と属性情報からなるリゾルブ結果を受信させるリゾルブ結果受信ステップと、
リゾルブ結果から、システムプロファイル、ユーザポリシ、身体情報を参照し、利用者からの要求に合致するサービスプロバイダ情報を絞り込む情報選択ステップと、
一つに絞り込まれたサービスプロバイダ情報で示されるサービスを受けるために必要なアプリケーションを決定し、決定されたアプリケーションを起動し、サービスプロバイダ情報など該アプリケーションがサービスを受けるのに必要な情報をアプリケーション参照情報として入力するアプリケーション制御ステップとを実行させる。
【００２３】
上記のように、本発明では、コンテンツデータに関するサービスを利用者が享受する際に、利用者の身体状態などのハンディキャップを予め利用者の端末に登録しておき、コンテンツデータに関する様々なリクエストを送信する際に、自動的にリクエストを変換することにより、コンテンツデータ利用者にコンテンツデータに関する様々なサービスを提供する際に、利用者の身体情報を利用することが可能となることから、各利用者の身体状態に合わせた適切なコンテンツデータサービスを提供することが可能となる。
【００２４】
また、従来の技術におけるリクエスト内に利用者の身体情報を包含してサービスを提供することにより、健常者と同様に簡単な操作でコンテンツデータに関する様々なサービスを受けることができ、かつ、利用者の身体状態に合わせた適切なサービスを提供することが可能となる。
【００２５】
また、従来の技術をそのまま応用することにより、新たなハードウェア等のシステム上の改変を不要とするため合理的である。
【００２６】
【発明の実施の形態】
【００２７】
まず、以下の説明に先立ち、本発明で用いられる用語について説明する。
【００２８】
【００２９】
・『コンテンツ名』とは、例えば、「○○という楽曲」、「△△というテレビドラマ」、「××というゲーム」というようにコンテンツデータの内容をユーザに示す名称であって、データフォーマットや処理プラットフォームが異なるコンテンツデータであっても同一の内容のコンテンツデータであれば、同一の『コンテンツ名』が付与される。
【００３０】
・『コンテンツＩＤ』とは、『コンテンツ名』と一対一対応で発行される番号を指し、従って、異なるフォーマットのコンテンツデータであっても、同一の『コンテンツ名』を有するコンテンツデータに対しては同一の『コンテンツＩＤ』が発行される。
【００３１】
・『サービス』とは、コンテンツデータに対して行う処理の機能を指す。具体的には、コンテンツデータの配送、フォーマット変換などの個々の機能を指す。
【００３２】
・『サービスプロバイダ』とは、サービスを提供するサーバを指す。
【００３３】
・『コンテンツデータ情報』とは、あるコンテンツデータそのものや、コンテンツデータに関連する様々な情報、該コンテンツデータに対する提供可能サービス情報などの集合である。
【００３４】
・『コンテンツデータ情報ＤＢ』とは、コンテンツデータ毎に様々なファイルフォーマット、符号化フォーマットのコンテンツデータや、コンテンツデータに関連する様々な情報、提供サービスの記述などが蓄積されたデータベースである。構成概要は後述する。
【００３５】
・『リクエスト』とは、ユーザが提示するサービス要求情報であり、サービス記述方法で記述される。具体的には、「見たい」、「聴きたい」といったものである。
【００３６】
・『ユーザポリシ』とは、ユーザによって指定される、サービスに制約を加える条件を表す情報である。例えば、料金条件や所在地条件などであり、具体的には「○○円以下の料金でサービスを提供できること」、「国内のサービスプロバイダのみ」、「決済方法がクレジットカードを用いないもの」といったものである。
【００３７】
・『アプリケーション』とは、クライアント端末上で動作し、サービスを受けるために用いられるソフトウェアまたは、ハードウェア、または、その両方である。
【００３８】
・『システムプロファイル』とは、端末やオペレーティングシステム、アプリケーションなどの機能のレベルを表す情報である。例えば、クライアント端末の種別や、通信速度、処理速度、表示機能、オペレーティングシステム、登録されているアプリケーション情報などである。
【００３９】
・『利用者身体情報』とは、コンテンツデータを利用する人のハンディキャップに関する情報であり、例えば、「聴覚障害がある」や、「視覚障害がある」などである。
【００４０】
・『ＲＲＤＳ(Resolve Request Data Set)』とは、コンテンツＩＤ、ユーザポリシ、システムプロファイル、リクエストなどから構成されるデータ集合である。リクエストが自明の時は、ＲＲＤＳはリクエストを含まなくてもよい。
【００４１】
『ＤＣＤ（Distributed Content Descriptor:流通コンテンツ識別子）』とは、コンテンツＩＤ及びコンテンツＩＤで特定されるコンテンツデータに対するサービスを表すサービス記述子の集合（これをサービスリスト情報と呼ぶ）、及び、属性情報データベース内部に記述してある属性情報の部分集合などを含むデータである。
【００４２】
本発明では、ユーザ端末のコンテンツＩＤハンドラにおいて、コンテンツデータ利用者からサービス要求を受け付け、保持しているＤＣＤ、ユーザポリシ、システムプロファイルをコンテンツデータ提供装置に送信することによって、コンテンツデータに関する情報や利用可能なサービスプロバイダ情報を該コンテンツデータ提供装置に問い合わせ、コンテンツデータ提供装置において、コンテンツＩＤハンドラからの要求に応じて、更に詳しいコンテンツデータの情報や、さらに詳細なサービスプロバイダ情報を該コンテンツＩＤハンドラに送信し、コンテンツＩＤハンドラにおいて、コンテンツデータ提供装置から送信されたサービスプロバイダ情報に基づいて、サービスプロバイダからコンテンツデータを取得し、該コンテンツデータに対する必要な処理を行い、コンテンツデータ利用者に提供するという方法を基本とし、当該方法における更なるクライアント端末の機能について説明する。なお、コンテンツＩＤハンドラについて後述する。
【００４３】
図３は、本発明のコンテンツデータ提供システムの構成を示す。
【００４４】
同図に示すクライアント端末１００は、サービスプロバイダ２００とコンテンツデータ関連情報提供装置３００とネットワークを介して接続されている。
【００４５】
クライアント端末１００は、入力インタフェース１１０、ユーザインタフェース部１１５、コンテンツＩＤ読み取り装置１２０、リクエスト生成装置１３０、コンテンツＩＤハンドラ１４０、ローカルリゾルバ１５０及びアプリケーション１６０から構成される。
【００４６】
入力インタフェース１１０は、コンテンツデータ利用者とのインタラクションにより、コンテンツデータの入力を行う。ここで、コンテンツデータとは、ディジタルデータやアナログ媒体で流通するものとする。
【００４７】
ユーザインタフェース部１１５は、コンテンツデータ利用者からのリクエストを受け付け、コンテンツＩＤハンドラ１４０に送る。
【００４８】
コンテンツＩＤ読み取り装置１２０は、入力されたコンテンツデータからコンテンツＩＤを読み取り、コンテンツＩＤハンドラ１４０に送る。
【００４９】
リクエスト生成装置１３０は、予めコンテンツデータ利用者から入力され、保持されている利用者身体情報を用いて、ユーザインタフェース部１１５を介して取得したコンテンツデータ利用者のコンテンツデータに対するリクエストを変換し、リクエストを取得し、コンテンツＩＤハンドラ１４０に送る。
【００５０】
コンテンツＩＤハンドラ１４０は、コンテンツＩＤ読み取り装置１２０から取得したコンテンツＩＤ、または、コンテンツデータ利用者から入力されたリクエスト、内部に格納しているＤＣＤ、システムプロファイルとユーザポリシからＲＲＤＳを生成し、コンテンツデータ関連情報提供装置３００に送信する。
【００５１】
また、コンテンツＩＤハンドラ１４０は、コンテンツデータ関連情報提供装置３００からリゾルブ結果を取得し、コンテンツデータ利用者とインタラクションを行いながらコンテンツデータサービスを決定し、最終的にコンテンツデータ利用者が選択したコンテンツデータサービスに対応するアプリケーション１６０を起動し、サービスプロバイダ２００とアプリケーション１６０間で通信を行いながら、コンテンツデータサービスをコンテンツデータ利用者に提供する。
【００５２】
ローカルリゾルバ１５０は、クライアント端末１００内にコンテンツデータ関連情報提供装置３００と同様の機能を有するものとする。
【００５３】
アプリケーション１６０は、サービスプロバイダ２００に対してコンテンツデータ要求を行い、当該サービスプロバイダ２００からコンテンツデータを取得し、コンテンツデータ利用者に対してサービス提供を実行するプログラムである。
【００５４】
次に、上記の構成における動作の概要を説明する。
【００５５】
なお、以下に示す動作の前提として、コンテンツデータ利用者の身体情報及びＤＣＤが予めクライアント端末１００に入力・保存されているものとする。
【００５６】
ステップ１０１）  コンテンツデータ利用者がクライアント端末１００に対して、入力インタフェース１１０を介してディジタルデータ形式または、アナログ媒体のコンテンツデータを入力する。アナログ媒体の場合には、ディジタルデータに変換する。
【００５７】
ステップ１０２）  クライアント端末１００のコンテンツＩＤ読み取り装置１２０では、コンテンツデータからコンテンツＩＤを読み取り、コンテンツＩＤハンドラ１４０に送信する。
【００５８】
ステップ１０３）  ステップ１０２と同時に、コンテンツデータ利用者は、コンテンツＩＤハンドラ１４０に対して、ユーザインタフェース部１１５から入力したコンテンツデータに対する要求をリクエスト生成装置１３０に入力する。
【００５９】
ステップ１０４）  クライアント端末１００のリクエスト生成装置１３０は、予め保持されている当該コンテンツデータ利用者の利用者身体情報を用いて、コンテンツデータ利用者のコンテンツデータに対する要求をリクエストに変換し、コンテンツＩＤハンドラ１４０に送る。
【００６０】
ステップ１０５）  コンテンツＩＤハンドラ１４０は、コンテンツＩＤもしくは、ＤＣＤとリクエスト及び、内部に格納しているシステムプロファイル、ユーザポリシからＲＲＤＳを生成する。
【００６１】
ステップ１０６）  コンテンツＩＤハンドラ１４０は、生成したＲＲＤＳをコンテンツデータ関連情報提供装置３００に送信する。
【００６２】
ステップ１０７）  コンテンツデータ関連情報提供装置３００は、コンテンツデータ利用者の要求に合致したコンテンツデータの格納場所や、コンテンツデータに関する種々の属性情報、コンテンツデータに関するサービス情報などから構成されるリゾルブ結果をコンテンツＩＤハンドラ１４０に返信する。
【００６３】
ステップ１０８）  コンテンツＩＤハンドラ１４０は、コンテンツデータ利用者からの入力により、最終的にコンテンツデータサービスを決定する。
【００６４】
ステップ１０９）  コンテンツＩＤハンドラ１４０は、コンテンツデータ利用者が選択したコンテンツデータサービスに対応したアプリケーションを起動する。
【００６５】
ステップ１１０）  コンテンツＩＤハンドラ１４０により起動されたアプリケーション１６０により、サービスプロバイダ２００との間で通信を行いながら、コンテンツデータサービスをコンテンツデータ利用者に提供する。
【００６６】
【実施例】
以下、図面と共に本発明の実施例を説明する。
【００６７】
まず、図３におけるコンテンツＩＤ読み取り装置１２０について説明する。
【００６８】
コンテンツＩＤ読み取り装置１２０は、コンテンツデータ利用者からディジタル形式のコンテンツデータもしくは、アナログ媒体のコンテンツデータを入力として受ける。コンテンツデータがディジタル状態である場合は、コンテンツデータ利用者は、当該コンテンツデータをネットワークや記録媒体、プログラムの出力などを経由して、コンテンツＩＤ読み取り装置１２０に渡す。また、コンテンツデータがアナログ媒体の場合、コンテンツデータ利用者は、アナログコンテンツデータをディジタルカメラやディジタルビデオ、スキャナなどのＡ／Ｄ変換器（入力デバイス）を用いて、コンテンツＩＤ読み取り装置１２０に渡す。
【００６９】
コンテンツＩＤ読み取り装置１２０は、コンテンツデータからコンテンツＩＤを読み取る。コンテンツＩＤは、コンテンツデータのヘッダ領域やフッタ領域に記述されていたり、電子透かしとしてコンテンツデータに埋め込まれていたり、バーコードとして添付されていたりする。コンテンツデータのヘッダ領域やフッタ領域にコンテンツＩＤが記述されている場合は、コンテンツデータのファイル・符号化フォーマットを解析、及びＩＤの記述の復号などを行い、コンテンツＩＤを抽出する。コンテンツＩＤがコンテンツデータに埋め込まれている場合、電子透かしを埋め込んだ電子透かし方法と対をなす電子透かし読み取り方法を用いて、コンテンツＩＤを抽出する。コンテンツデータにバーコードが添付されている場合、バーコードリーダなどを用いて、バーコード情報をコンテンツＩＤに変換する。コンテンツＩＤの抽出に成功した場合、コンテンツＩＤはコンテンツＩＤハンドラ１４０に渡される。
【００７０】
図３に示すクライアント端末１００において、コンテンツデータ利用者からの要求をユーザインタフェース１１５で受け、リクエスト生成部１３０に送る。リクエスト生成部１３０では、利用者身体情報を用いてコンテンツデータ利用者のコンテンツデータに対するサービスを変換し、リクエストを生成する。
【００７１】
例えば、聴覚に不自由がある人が、「音楽コンテンツデータを鑑賞したい」という要求を発行した場合を考える。
【００７２】
コンテンツデータ利用者は、リクエスト生成部１３０に対して、予め自らの利用者身体情報を設定しておく。例えば、コンテンツデータ利用者が聴覚障害を持っていること、音楽コンテンツデータの鑑賞については、「音楽コンテンツデータに関する情報を入手したい」から「音楽コンテンツデータの作者の写真が見たい」、「音楽コンテンツデータの制作に至る過程を見たい」、「音楽コンテンツデータに関する種々の評論を読みたい」などの順で、コンテンツデータに関するサービスを提示して欲しい等である。
【００７３】
この設定に従い、コンテンツデータ利用者が、例えば、「タラのテーマを鑑賞したい」と要求すると、リクエスト生成部１３０は、順に「タラのテーマの関する情報を入手したい」から、「タラのテーマの作者の写真が見たい」、「タラのテーマのメイキング映像が見たい」、「タラのテーマの評論文を読みたい」等に変換する。このようにして変換したリクエストを、コンテンツＩＤハンドラ１４０に送信する。
【００７４】
次に、コンテンツＩＤハンドラ１４０について説明する。
【００７５】
図５は、本発明の一実施例のコンテンツＩＤハンドラの構成を示す。
【００７６】
同図に示すコンテンツＩＤハンドラ１４０は、ＲＲＤＳ生成部１４１、ＲＲＤＳ送信部１４２、リゾルブ結果受信部１４３、リゾルブ結果選択部１４４から構成される。
【００７７】
コンテンツＩＤハンドラ１４０のＲＲＤＳ生成部１４１は、リクエスト生成部１３０からリクエストを取得し、さらに、コンテンツＩＤ読み取り装置１２０から取得したコンテンツＩＤ、または、コンテンツＩＤハンドラ１４０内に格納されているＤＣＤ、システムプロファイルとユーザポリシを組としたＲＲＤＳを生成し、ＲＲＤＳ送信部１４２に送る。
【００７８】
ＲＲＤＳ送信部１４２は、ＲＲＤＳをコンテンツデータ関連情報提供装置３００に送信する。コンテンツＩＤハンドラ１４０は、コンテンツデータ関連情報提供装置３００からのリゾルブ結果が返信されるまで待機する。
【００７９】
コンテンツＩＤハンドラ１４０は、コンテンツデータ関連情報提供装置３００から送信されたリゾルブ結果をリゾルブ結果受信部１４３で受信し、リゾルブ結果選択部１４４に送る。
【００８０】
リゾルブ結果選択部１４４は、リゾルブ結果をユーザインタフェース部１１５に送り、ユーザインタフェース部１１５により可読化されたリゾルブ結果をコンテンツデータ利用者に提示し、必要に応じてコンテンツデータ利用者とのインタラクションを繰り返し、最終的にコンテンツデータサービスを決定する。その後、リゾルブ結果選択部１４４は、選択されたコンテンツデータサービスに対応するアプリケーション１６０を起動し、当該アプリケーション１６０に対して、アプリケーション参照情報を渡す。
【００８１】
本実施例におけるコンテンツデータ関連情報提供装置３００の処理は、基本的には、属性情報データベースとサービスプロバイダ情報データベースを有し、ＲＲＤＳ内のＤＣＤに対応するコンテンツデータの属性情報を属性情報データベースから検索し、コンテンツデータの配送元であるサービスプバイダ情報を取得し、コンテンツデータの属性情報と、ＲＲＤＳ内のリクエスト（コンテンツデータ配信要求）情報及びユーザポリシ及びシステムプロファイルに記述された条件を充足するサービスプロバイダを選ぶ。選定されたサービスプロバイダ情報及びコンテンツデータの属性情報はリゾルブ結果としてクライアント端末に送信するものである。
【００８２】
コンテンツデータ関連情報提供装置３００は、コンテンツＩＤハンドラ１４０からＲＲＤＳを受信し、コンテンツＩＤとコンテンツデータに関するサービスを提供する様々なサービスプロバイダ情報とコンテンツデータの属性情報を結び付けてデータベースに蓄積されているコンテンツデータ関連情報を用いて、クライアント端末１００において、サービスプロバイダの選択が可能となるようなリゾルブ結果を生成して、クライアント端末１００のコンテンツＩＤハンドラ１４０に返信する。
【００８３】
本実施例では、コンテンツデータ利用者が要求を入力した場合について述べたが、コンテンツデータ利用者が要求を入力しない場合、コンテンツＩＤハンドラ１４０は、コンテンツデータ関連情報提供装置１４０から当該コンテンツデータに関連付けられているコンテンツデータサービスの一覧を取得し、コンテンツデータ利用者に提示し、コンテンツデータ利用者に対してリクエストを促すことも可能である。
【００８４】
また、コンテンツデータ関連情報提供装置は、同様の機能を有するローカルリゾルバ１５０として、クライアント端末１００内にあってもシステムの動作上問題はなく、この場合、クライアント端末１００がネットワークに接続されていないオフラインの状態で本発明のシステムを作動することも可能である。
【００８５】
また、コンテンツＩＤ読み取り装置１２０は、クライアント端末１００外に実装されていてもよく、この場合、コンテンツＩＤ読み取り装置がクライアント端末１００のスペック制限や、機能不足、機能制限などにより、クライアント端末１００内に実装が困難な場合等に特に有効である。
【００８６】
上述のように、本実施例によれば、コンテンツデータ利用者がハンディキャップを抱えている場合においても、健常者と同様のコンテンツデータサービス要求を行うことで、自分の身体状態にあったコンテンツデータや関連情報、サービスを享受することが可能となる。
【００８７】
また、上記の実施例は、図３及び図５の構成に基づいて説明したが、各図の構成要素をプログラムとして構築することも可能である。また、構築されたプログラムをフロッピーディスク、ハードディスク、ＣＤ−ＲＯＭ等の可搬記憶媒体に格納しておき、本発明を実施する際にクライアント端末のＣＰＵにインストールすることにより、容易に本発明を実現できる。
【００８８】
また、クライアント端末のＣＰＵにあるプログラムや、ＣＤ−ＲＯＭ等の可搬記憶媒体、ハードディスク等の記憶媒体に格納されているプログラムを、ネットワークを介して流通させることも可能である。
【００８９】
なお、本発明は、上記の実施例に限定されることなく、特許請求の範囲内において、種々変更・応用が可能である。
【００９０】
【発明の効果】
【００９１】
上述のように、本発明によれば、コンテンツデータに関するサービスを利用が享受する際に、コンテンツデータ利用者の身体状態などのハンディキャップを予めコンテンツデータ利用者の端末に登録しておき、コンテンツデータに関する様々なリクエストを送信する際に、自動的にリクエストを変換することにより、健常者と同様に簡単な操作でコンテンツデータに関する様々なサービスを享受することができ、また、コンテンツデータ利用者の身体状態に合わせた適切なサービスを提供することができる。
【００９２】
また、コンテンツデータ対して一意な識別情報（コンテンツＩＤ）を付与して、コンテンツデータと共にコンテンツＩＤも流通させ、コンテンツデータ利用者がコンテンツデータに関連した情報を入手したい場合には、コンテンツデータ利用者が自分の端末のネットワークの状態などを気にせず自分の設定したポリシに従って、コンテンツデータ及びコンテンツデータに関する情報やサービスを享受できるといった方法をサービス基盤とするシステムを変更することなく利用できることから、合理的にシステムに新しい機能を追加することができる。
【図面の簡単な説明】
【図１】本発明の原理を説明するための図である。
【図２】本発明の原理構成図である。
【図３】本発明のコンテンツデータ提供シテムにおけるクライアント端末の構成図である。
【図４】本発明のコンテンツデータ提供システムにおける動作の概要を示すシーケンスチャートである。
【図５】本発明の一実施例のコンテンツＩＤハンドラの構成図である。
【符号の説明】
１００  クライアント端末
１１０  入力インタフェース
１１５  ユーザインタフェース手段、ユーザインタフェース
１２０  コンテンツＩＤ読み取り手段、コンテンツＩＤ読み取り装置
１３０  リクエスト生成手段、リクエスト生成部
１４０  コンテンツＩＤハンドラ
１４１  ＲＲＤＳ生成手段、ＲＲＤＳ生成部
１４２  ＲＲＤＳ送信手段、ＲＲＤＳ送信部
１４３  リゾルブ結果受信手段、リゾルブ結果受信部
１４４  情報選択手段、リゾルブ結果選択部
１５０  ローカルリゾルバ
１６０  アプリケーション
１７０  身体情報記憶手段
１８０  アプリケーション制御手段
【図１】
0003578089.tif 000002
【図２】
0003578089.tif 000003
【図３】
0003578089.tif 000004
【図４】
0003578089.tif 000005
【図５】
0003578089.tif 000006